【手続補正書】
【提出日】平成20年8月29日(2008.8.29)
【手続補正１】
【補正対象書類名】明細書
【補正対象項目名】０００２
【補正方法】変更
【補正の内容】
【０００２】
背景
ＬＥＤベースの発光（lighting）方法およびシステムは、カラーキネティクス株式会社（Color Kinetics Incorporated）によって開発、市販されたもの、および参照により本明細書に組み入れてある特許、特許出願、およびその他の文書に開示されたものを含めて既知である。タイルの形態をとる発光器具を含む、特有の形態の発光器具を含み、ＬＥＤベース照明方法およびシステムの発明の観点を最大限に利用する改良型の発光器具に対するニーズがある。
先行技術文献情報
米国特許明細書：
第３，５９５，９９１号
第３，６９６，３９３号
第３，７４０，５７０号
第３，７８７，７５２号
第３，９４２，０６５号
第４，１５１，５４７号
第４，２６７，５５９号
第４，３６０，８０４号
第４．３９４．６００号
第４，４７０，０４４号
第４．５５９，４８９号
第４，５８１，６１２号
第４，５８１，６５５号
第４，６１２，７２０号
第４，６４４，３４２号
第４，６５４，７５４号
第４，７２０，７０９号
第４，７２９，０７６号
第４，７８２，３３６号
第４，８３３，５４２号
第４，８５７，８０１号
第４，９７４，１１９号
第４，９２９，８６６号
第４，９３５，６６５号
第５，０６１，８７４号
第５，１３６，４８３号
第５，１７３，８３９号
第５，２０９，５６０号
第５，２３０，１７５号
第５，２３５，３４７号
第５，２６２，６５８号
第５，３７５，０４３号
第５，４１０，３２８号
第５，４１４，３２８号
第５，５２８，４７４号
第５，５８３，３４９号
第５，５８３，３５０号
第５，６３３，６２９号
第５，６３４，７１１号
第５，６８４，３０９号
第５，７８２，５５５号
第５，７９６，３７６号
第５，８０８，５９２号
第５，８５７，７６７号
第５，８９６，４０３号
第５，９００，８５０号
第５，９４９，５８１号
第５，９６１，２０１号
第６，０２３，２５５号
第６，０２８，５８２号
第６．０６９，５９５号
第６，０６９，５９７号
第６，１０４，４１４号
第６，１７５，３４２号
第６，２３７，２９０号
第６，３１４，６６９号
第６，３２９，７６４号
第６，３３０，１１１号
第６，３３１，９１５号
第６，３６１，１９８号
第６，３７９，２０９号
第６，３８６，７２０号
第６，４７６，７７９号
第６，４９８，３５５号
第６，４９８、５９２号
第６，５０９，９０６号
第６，５４０，３７３号
第６，５４３，１６４号
第６，５５８，０２１号
第６，６１８，０３１号
第６，６０３，２４３号
第６，６３９，５７４号
第６，６４２，６６６号
第６，６７６，２８４号
第６，６８０，５７９号
第６，６９０，３４１号
第６，６９３，３８５号
第６，７０４，９８９号
第６，７０７，３８９号
第６，９２８，７７５号
米国出願公開  ２００２／０１２６０６４号
米国出願公開  ２００３／０１０７８８７号
米国出願公開  ２００４／００６６６５２号
米国出願公開  ２００５／０１２２０６４号
米国出願公開  ２００５／０１２８７４３号
ＰＣＴ国際公開：
ＷＯ  ９９／３０５３７号
ＷＯ  ０１／７３８１８号
ＷＯ  ９６／１１４９９号
日本国：
特開平０４−０１５６８５号公報
特開平０６−３３４２２３号公報
特開平０９−２６９７４６号公報
特開平０９−１５２８４０号公報
特開平０７-２７５２００号公報
特開平１０−３０２５１４号公報
欧州特許公開
第３９０，４７９号
第５０７，３６６号
第６２９，５０８号
第８７６，０８５号
非特許文献
（１）ＳＣＨＬＩＧ，Ｅｕｇｅｎｅ  Ｓ．，”Ｅｌｅｃｔｒｏｔｈｅｒｍａｌ  Ｃｏｎｓｉｄｅｒａｔｉｏｎｓ  ｉｎ  Ｄｉｓｐｌａｙ  Ａｐｐｌｉｃａｔｉｏｎｓ  ｏｆ  Ｌｉｇｈｔ−Ｅｍｉｔｔｉｎｇ  Ｄｉｏｄｅｓ，”ＩＥＥＥ  Ｔｒａｎｓａｃｔｉｏｎｓ  ｏｎ  Ｅｌｅｃｔｒｏｎ  Ｄｅｖｉｃｅｓ，  ｖｏｌ．ＥＤ−１９，  ｎｏ．７、Ｊｕｌｙ  １９８２、ｐｐ．８４７−８５１
（２）ＡＳＡＩ、Ｓ．ｅｔ  ａｌ．，”Ｈｅａｔ  Ｃｏｎｄｕｃｔｉｖｅ  Ｗｉｒｅ  Ｍａｔｒｉｘ  Ｂｏａｒｄ  ｆｏｒ  Ｌｉｇｈｔ  Ｅｍｉｔｔｉｎｇ  Ｄｉｏｄｅ（ＬＥＤ）Ｄｏｔ  Ｍａｔｒｉｘ  Ｄｉｓｐｌａｙ，”  Ｃｉｒｃｕｉｔ  Ｗｏｒｌｄ，  ｖｏｌ．２１，ｎｏ．４，  １９９５，ｐｐ．２７−３１
（３）”Ｃｒｅｅ  Ｒｅｓｅａｒｃｈ、Ｉｎｃ．Ａｎｎｏｕｎｃｅｓ  Ｆｉｓｃａｌ  １９９４  Ｒｅｓｕｌｔｓ，”ＰＲ  Ｎｅｗｓｗｉｒｅ，  Ｊｕｌｙ  ２８，  １９９４，  ｐｐ  １−２．
（４）”Ｃｒｅｅ  Ｒｅｓｅａｒｃ、Ｉｎｃ．Ａｎｎｏｕｎｃｅｓ  Ａｃｑｕｉｓｉｔｉｏｎ  ｏｆ  Ｆｕｌｌ−Ｃｏｌｏｒ  ＬＥＤ  Ｄｉｓｐｌａｙ  Ｃｏｍｐａｎｙ，”ＰＲ  Ｎｅｗｓｗｉｒｅ、Ａｕｇｕｓｔ  ９，１９９４、  ｐｐ。１−２．
（５）ＭＩＳＨＩＫＯ、Ｙａｓｈｕｈｉｒｏ，  ｅｔ．ａｌ．，  ”Ｌａｒｇｅ−Ｓｃａｌｅ  Ｃｏｌｏｒ  ＬＥＤ  Ｄｉｓｐｌａｙ  Ｓｙｓｔｅｍ、”  Ｎａｔｉｏｎａｌ  Ｔｅｃｈｎｉｃａｌ  Ｒｅｐｏｒｔ，  ｖｏｌ．３３、ｎｏ．１．Ｆｅｂｒｕａｒｙ  １９８７，  ｐｐ．９４−１０１
（６）ＭＩＹＯＳＨＩ，  Ｍｏｒｉｍａｓａ  ｅｔ．ａｌ．，”Ｌａｒｇｅ−Ｓｃａｌｅ  Ｃｏｌｏｒ  ＬＥＤ  Ｓｔｏｃｋ−Ｉｎｆｏｒｍａｔｉｏｎ  Ｄｉｓｐｌａｙ  Ｂｏａｒｄ，”  Ｎａｔｉｏｎａｌ  Ｔｅｃｈｎｉｃａｌ  Ｒｅｐｏｒｔ，  ｖｏｌ．３３、ｎｏ．１、Ｆｅｂｒｕａｒｙ  １９８７，ｐｐ．１０２−１０７．
（７）ＭＯＴＯＺＯＮＯ，Ｔａｋｅｆｕｍｉ  ｅｔ  ａｌ．，”ＬＥＤ  Ｄｉｓｐｌａｙ  Ｄｅｖｉｃｅｓ、”Ｎａｔｉｏｎａｌ  Ｔｅｃｈｎｉｃａｌ  Ｒｅｐｏｒｔ，  ｖｏｌ．２８、  ｎｏ．１，  Ｆｅｂｒｕａｒｙ  １９８２，ｐｐ．７４−８２
（８）ＴＳＵＪＩＫＡＤＯ，Ｋａｚｕｍｉ  ｅｔ  ａｌ．，”Ｌａｒｇｅ−Ｓｃａｌｅ  ＬＥＤ  Ｄｉｓｐｌａｙ  Ｓｙｓｔｅｍ，”Ｎａｔｉｏｎａｌ  Ｔｅｃｈｎｉｃａｌ  Ｒｅｐｏｒｔ，  ｖｏｌ．４２、  ｎｏ．３，  Ｊｕｎｅ  １９９６，ｐｐ．１８−２５
（９）ＳＨＩＢＡＴＡ，Ｋａｚｕｈｉｓａ，”Ｉｍｐｒｏｖｅｍｅｎｔｓ  ｉｎ  Ｍｕｌｔｉｃｏｌｏｒｅｄ  ＬＥＤｓ  Ｍａｙ  ｂｅ  Ｐｒａｃｔｉｃａｌ  Ｄｉｓｐｌａｙ  Ａｌｔｅｒｎａｔｉｖｅ，”  ＪＥＥ，Ａｕｇｕｓｔ  １９８５、ｐｐ。６０−６２．
（１０）ＭＵＲＡＴＡ，  Ｋａｚｕｈｉｓａ，”Ｄｅｖｅｌｏｐｅｒｓ  Ｃｏｎｔｉｎｕｒｅ  ｔｏ  Ｒｅｆｉｎｅ  Ｂｌｕｅ  ＬＥＤ  Ｔｅｃｈｎｏｌｏｇｉｅｓ  ｆｏｒ  Ｄｉｓｐｌａｙ  Ｕｓｅ，”Ｄｉｓｐｌａｙ  Ｄｅｖｉｃｅｓ，  １９９２、  ｓｅｒｉａｌ  ｎｏ．６，ｐｐ．４６−５０．
（１１）ＫＯＧＡ、Ｋａｚｕｙｕｋｉ  ｅｔ  ａｌ．，”ＲＧＢ  Ｍｕｌｔｉ−ＣｏｌｏｒＬＥＤ  ＤＯＴ−Ｍａｔｒｉｘ  Ｕｎｉｔｓ  ａｎｄ  Ｔｈｅｉｒ  Ａｐｐｌｉｃａｔｉｏｎ  ｔｏ  Ｌａｒｇｅ−Ｓｉｚｅ  Ｆｌａｔ  Ｄｉｓｐｌａｙｓ、”Ｏｐｔｏｅｌｅｃｔｒｏｎｉｃｓ−Ｄｅｖｉｃｅｓ  ａｎｄ  Ｔｅｃｈｎｏｌｏｇｉｅｓ、ｖｏｌ．７，ｎｏ．２、ｐｐ。２２１−２２９，Ｄｅｃｅｍｂｅｒ、１９９２．
（１２）ＭＵＲＡＴＡ、Ｋａｚｕｈｉｓａ，”ＳｉＣ  Ｂｒｉｇｔｅｎｓ  Ｂｌｕｅｓ  ｆｏｒ  Ｆｕｌｌ−Ｃｏｌｏｒ  ＬＥＤ  Ｄｉｓｐｌａｙ  Ｕｎｉｔｓ，”ＪＥＥ，Ｎｏｖｅｍｂｅｒ、１９９３、ｐｐ．５９−６５．
（１３）ＬＥＲＮＥＲ，Ｅｒｉｃ．Ｊ．，”Ｌａｓｅｒ  Ｄｉｏｄｅｓ  ａｎｄ  ＬＥＤｓ  Ｌｉｇｈｔ  Ｏｐｔｏｅｌｅｃｔｒｏｎｉｃ  Ｄｅｖｉｃｅｓ、”  Ｌａｓｅｒ  Ｆｏｃｕｓ  Ｗｏｒｌｄ、Ｆｅｂｒｕａｒｙ，１９９７、ｐｐ。１０９−１１７．
（１４）ＭＡＲＴＩＮ、Ｄａｖｉｄ、ｅｔ  ａｌ．，”Ｍａｔｅｒｉａｌ  Ａｄｖａｎｃｅｓ  Ｌｉｇｈｔ  Ｆｕｌｌ−Ｃｏｌｏｒ  ＬＥＤ  Ｄｉｓｐｌａｙｓ，”Ｌａｓｅｒ  Ｆｏｃｕｓ  Ｗｏｒｌｄ，Ｍａｒｃｈ  １９９７、ｐｐ．１１９−１２４．
【手続補正２】
【補正対象書類名】明細書
【補正対象項目名】００８３
【補正方法】変更
【補正の内容】
【００８３】
図２のシステムにおいて、各ＬＵＣは、中央コントローラ２０２に結合し、この中央コントローラは、１つまたは２つ以上のＬＵＣと通信するように構成されている。図２では、スイッチングまたは結合デバイス２０６によって、中央コントローラ２０２に結合された３つのＬＵＣを示してあるが，様々な態様によれば、異なる数のＬＣＵを、中央コントローラ２０２に結合できることを認識すべきである。さらに、本発明の様々な態様によれば、多種多様な通信媒体およびプロトコルを使用して、ＬＵＣと中央コントローラを様々な構成で互いに結合して、ネットワーク化発光システム２０を形成することができる。さらに、ＬＵＣと中央コントローラの相互接続、および発光ユニットのそれぞれのＬＵＣへの相互接続は、異なる方法で（例えば、異なる構成、通信媒体、およびプロトコルを使用して）達成できることを認識すべきである。
【手続補正３】
【補正対象書類名】明細書
【補正対象項目名】０１２４
【補正方法】変更
【補正の内容】
【０１２４】
図６を参照すると、タイル５００またはパネルの表面への装着、または要素同士を相互接続するための様々な装着策がある。６Ａ、６Ｂに示す一態様においては、壁装着６０２が使用される。壁装着では、装着クリップ６０４を使用して、所望の間隔を空け、壁にユニットを固定し、壁からの間隔を与える。壁への取り付けは、ブラケットまたはＺクリップまたはフレンチクリート（French-cleats）などの２分割クリートによってもよい。タイル５００は、背面を横断するワイヤを用いて絵のようにフックから吊るすこともできる。これらのクリート設計は、チャネルまたは窪み表面などの構造を組み込んで、データを通信するためのワイヤを通すこと、および隣接ユニット間に電源を配置することを可能にするか、または成端および壁空間および接続箱の通過を目的としたケーブルの通線を改善することができる。６Ｃ、６Ｄおよび後続の図は、タイル５００の使用および装着の方法をさらに詳細に示す。
【手続補正４】
【補正対象書類名】明細書
【補正対象項目名】０１２５
【補正方法】変更
【補正の内容】
【０１２５】
図６には、天井装着６０８も６Ｃ、６Ｄとして示してある。壁装着実施態様に示すように、デバイスは、ブラケットおよびその他の取り付け具によって天井に固定することができるが、天井は、吊り下げグリッド構造で覆われていることが多く、このような構造によって、多様な天井タイルだけでなく、発光体類およびＨＶＡＣ関係要素の設置が可能となる。天井タイル要素６１０は、標準吊り天井グリッドにはめ込むように寸法決めすることができる。例えば、２フィート×２フィート要素６１０は、標準天井グリッド６１２に直接はめ込むこともできる。天井装着の追加の配線オプションとしては、設置の柔軟性をもたらす、ユニット間のジャンパーケーブルを挙げることができる。
【手続補正５】
【補正対象書類名】明細書
【補正対象項目名】０１２８
【補正方法】変更
【補正の内容】
【０１２８】
図７は、タイル５００用のレール装着設備７００を示す。この態様は、多数のタイル５００またはパネル要素を合わせて接続するレールを含む、装着システムである。これと同じレール７００を、図７に示す吊り下げまたは装着システムとして使用することができる。
図８を参照すると、この発明８００の別の観点は、装置の配線は、原理的に積み木（building block）に類似する、タイル５００間の直接コネクタ８０２を介して行うこともできる。すなわち、モジュール式タイル５００またはパネル要素を、機械式および電気式両方の取り付け具によって互いに直接接続することができる。
【手続補正６】
【補正対象書類名】明細書
【補正対象項目名】０１３２
【補正方法】変更
【補正の内容】
【０１３２】
図１２は、本発明の一実施態様による電力検知モジュール１１１４を含む、ＬＵＣの回路実装の一部分の例を示す。図１２において、電源入力接続は、正極端子１１１２Ａおよび接地端子１１１２Ｂとして示されている。同様に、発光ユニットへの電力出力接続は、正極端子１１１０Ａおよび接地端子１１１０Ｂとして示されている。図１２において、電力検知モジュール１１１４は、本質的に、電源入力接続の接地端子１１１２Ｂと電力出力接続の接地端子１１１０Ｂとの間の挿入された、電流センサとして実装されている。この電流センサは、電力出力接続から消費される電力に基づいてサンプル電圧を蓄積するサンプリング抵抗Ｒ３を含む。次いで、このサンプル電圧は、演算増幅器Ｕ６によって増幅され、それによって、電力が消費されていることを示す出力信号１１１６をプロセッサ１０２に供給する。
【手続補正７】
【補正対象書類名】明細書
【補正対象項目名】０１３３
【補正方法】変更
【補正の内容】
【０１３３】
図１２に示す、この実施態様の１つの観点では、電力入力供給接続１１１２Ａおよび１１１２Ｂは、約２０ボルトの電源電圧の供給が可能であり、電力検知モジュール１１１４は、ＬＵＣに結合された発光ユニットの群が消費する負荷電流のアンペア当たり約２ボルト（すなわち、２Ｖ／Ａのゲイン）の、出力信号１１１６を生成するように設計することができる。その他の観点では、プロセッサ１０２には、約０．０２ボルトの大きさの検出解像度を有するＡ／Ｄ変換器を含めることが可能であり、発光ユニットは、各発光ユニットが通電されたときに約０．１アンペアの電流を消費し、その結果として、群のいずれかのユニットが通電されるときに、（上述の２Ｖ／Ａゲインに基づいて）最低約０．２ボルトの出力信号１１１６を生成する（すなわち、プロセッサのＡ／Ｄ変換器によって容易に分解される）ように設計することができる。別の観点では、発光ユニットの群によって消費される、最小零入力電流（オフ状態電流、通電された光源なし）を時おり計測して、電力検知モジュール１１１４に対して適当な閾値を設定することができ、それによって、出力信号１１１６は、実際に１つまたは２つ以上の光源が実際に通電されることにより、発光ユニットの群によって電力が消費されている場合を、正確に反映する。
【手続補正８】
【補正対象書類名】明細書
【補正対象項目名】０１３４
【補正方法】変更
【補正の内容】
【０１３４】
上述のように、本発明の一実施態様によれば、ＬＵＣプロセッサ１０２は、電力検知モジュール１１１４からの出力信号１１１６を監視して、発光ユニットの群によって電力が消費されているかどうかを判定し、この指示を識別子特定／学習アルゴリズムに使用して、ＬＵＣに結合された発光ユニット群の識別子の収集を特定する。
【手続補正９】
【補正対象書類名】明細書
【補正対象項目名】０１３８
【補正方法】変更
【補正の内容】
【０１３８】
タイル５００に必要な発光要素の数を低減するために、ＬＥＤを備える基板を、図１５の右側に示すように、形状の中心に向かっているエッジ上の、発光ユニット１００または光源１５０２として、装着することができる。光源１５０２から外に放射する光は、光源１５０２から離れる距離の関数として、強度が低下することになる。より均一な照明を提供するために、タイル５００内部の形状の構成を、照明を取り込み反射することによって、光源１５０２が配置されている領域上に配置されるカバー１５１２に対して、より均一な照明表面を提供するようにすることができる。図１５において、ピラミッド１５１０は、観察者の方向に延びて、観察者の方向への光の増大をもたらす、浮彫り（relief）で示してある。ピラミッド１５１０の底辺近くのピラミッド面１５０４は、光源１５０２により近い平坦領域１５０８よりも明るいが、この理由は光源１５０２からの光の入射角度が、光が平坦領域１５０８からよりも、より多くの光が傾斜面１５０４から上方に（実質的にピラミッド１５１０の頂上に向かう方向からタイル５００を見ている、観察者の目の方向に）反射されるようになっているためである。拡散カバー１５１２を用いると、この効果は、図１５の左側に示すように、タイル５００全体からのほぼ均一な照明の強度をもたらす。すなわち、図１５は、拡散カバー１５１２有り、および無しの両方の状態での、エッジ照射内部を備えるタイル５００を示す。光出力を誘導、拡散および均質化するピラミッド要素１５１０の使用に留意して頂きたい。対角線は、隣接領域間を分離し、様々な高さで設けることによって、隣接区間からの色の重複を除去するか、または許容することができる。
【手続補正１０】
【補正対象書類名】明細書
【補正対象項目名】０１３９
【補正方法】変更
【補正の内容】
【０１３９】
ピラミッド１５１０は、好ましい光効果を実現するのに簡単な形状であるが、その他の形状を設けてもよく、タイル５００の異なる相違および異なる構成に対してより効率的にすることができる。曲線形状、特に光分布の数学モデルに合わせたものは、距離に対して高い均一性さえももたらすことができる。放物線などの、２次式によって記述される形状は、タイル５００の観察者の目に向かって反射される光の均一性の適正な性質を与えるのに適している。
【手続補正１１】
【補正対象書類名】明細書
【補正対象項目名】０１４１
【補正方法】変更
【補正の内容】
【０１４１】
勿論のこと、態様によっては、様々な形状および材料を使用して均一な照明以外の高価を得ることが望ましいことがある。様々な形状は、光からの彫刻効果（sculptural effects）を得るための、変動、陰影およびテクスチャをもたらすことができる。例えば、記号、文字、数字、ロゴ、文字、絵またはその他の要素を、タイル５００の内部構成、内部の反射性質、またはカバー１５１２の光透過能力を設計してタイル５００の特定の領域における光強度を変化させることによって形成することができる。
ここで、ピラミッド１５１０のようなタイル５００の内部における表面を使用して、空隙を生成し、その空隙の下の空間を、電源およびコントローラ、コネクタおよびタイル５００のシステムのその他の関係する部品を隠すのに使用することができることに留意されたい。
【手続補正１２】
【補正対象書類名】明細書
【補正対象項目名】０１４４
【補正方法】変更
【補正の内容】
【０１４４】
図１６および図１７は、本開示に包含される広範囲の中で、光を拡散および回折させるのに使用することのできる様々なテクスチャおよび形状を示す。カバー１６００Ａ〜Ｌは、グラフィックスおよび文字および芸術作品などのその他の要素を組み込むことができる。モザイク（tessellations）は、周期的または非周期的な、エシェル状（Escher-like）またはペンローズ型（Penrose-type）パターンにして設けることができる。これらの多くのテクスチャおよび形状にしたカバーを組み込んだタイルは、壁、ドア、窓、天井、床、家具、テーブル、棚、およびその他の表面を含む、ビル内部および外部の部分を覆うためなどに、多くの環境において配置することができる。
【手続補正１３】
【補正対象書類名】明細書
【補正対象項目名】０１４８
【補正方法】変更
【補正の内容】
【０１４８】
いくつかの態様においては、制御は、例えば本明細書の別の場所で記述するソフトウエアオーサリングシステムと関連する、オブジェクト指向制御とすることができる。態様によっては、オーサリングは、本明細書の別の場所に記述する、幾何学的オーサリング方法とすることができる。したがって、「フラッシュ（Flash）」アニメーションなどの、ソフトウエアでオーサリングされた効果は、構成２０００、２１００において複製して、次いで拡散パネルに拡散させて、その結果として色の爆発、チェーシングレインボウ、絞り染め状効果、などの非常に心地よい効果を得ることができる。効果としては、文字、グラフィックス、アニメーションその他のスクロールが挙げられる。いくつかの態様においては、効果を、入力ビデオ信号などの入力信号１２２に応答するようにオーサリングすることが可能であり、この場合には、グリッドまたは配列を形成する個々の発光ユニット１００が、入力ビデオ信号のピクセル、またはピクセルの部分などを表わすものなど、ビデオ信号の要素に応答する。
【手続補正１４】
【補正対象書類名】明細書
【補正対象項目名】０１４９
【補正方法】変更
【補正の内容】
【０１４９】
タイル５００を提供する別の方法では、エッジ照射を使用し、一態様では反射性下面（reflective underside）または押し出し反射体形状（extruded reflector shape）を使用する。
図２２を参照すると、別の態様２２００は、一つの効果のために異なる物理層を使用する。この方法は、拡散体２２０２を有する統合ＬＥＤノード２２０４を使用する。白色はんだマスクを有する多角形ＰＣＢを使用して、各ノード２２０４は、拡散体材料２２０２上の隆起の下に位置する。この効果は、均一な色彩場に浮遊する、ある数の個別にアドレス指定可能な制御可能ノードである。小さな円で示された光放出ノード２０４は、光を上方に拡散体２２０２中へと放出し、これらの拡散体は多様な形状およびテクスチャを持たせることができる。これは、図２２においてその光を水平矢印で示してあるエッジ照明ユニットへの追加とすることができる。
【手続補正１５】
【補正対象書類名】明細書
【補正対象項目名】０１５４
【補正方法】変更
【補正の内容】
【０１５４】
本発明の一態様は、図２４のブロック図に示す制御信号を生成する方法２４００を記述する。この方法には、画像または画像の表現、すなわちグラフィック表現２４０２を提供または生成することを含めることができる。グラフィック表現は、図面、写真、生成画像、または静的であるか、もしくは静的に見える画像などの静的画像とすることができる。スクリーン上の画像は連続的に更新されているが、静的画像には、コンピュータスクリーンまたはその他のスクリーン上で表示される画像を含めることができる。
【手続補正１６】
【補正対象書類名】明細書
【補正対象項目名】０１６１
【補正方法】変更
【補正の内容】
【０１６１】
なお図２４を参照すると、グラフィック表現２４０２および発光システム構成機能２４０４からの構成情報を、変換モジュール２４０８に供給することが可能であり、この変換モジュールは、構成ファイルからの位置情報を、グラフィック表現からの情報と関連づけて、その情報を、発光ユニット１００用の制御信号２４１０などの制御信号に変換する。次いで、変換モジュールは、制御信号を、発光ユニット１００などに伝達することができる。実施態様によっては、変換モジュールは、（以下に示す）環境に対する構成ファイル内に記憶されているように、グラフィック表現における位置を、環境内の発光ユニット１００の位置にマップ化する。このマッピングは、グラフィック表現におけるピクセルまたはピクセル群の、環境１００内の発光ユニット１００または発光ユニット１００の群に対する、１対１のマッピングとしてもよい。グラフィック表現内のピクセルの、発光ユニット１００によって照射される、環境内の表面１０７、ポリゴン、または物体に対するマッピングとすることもできる。マッピング関係は、ベクトル座標情報、波動関数、またはアルゴリズムを、発光ユニット１００の位置に対してマッピングすることもできる。多数の異なるマッピング関係を、構想することが可能であり、これらは本明細書に包含されるものである。
【手続補正１７】
【補正対象書類名】明細書
【補正対象項目名】０１６２
【補正方法】変更
【補正の内容】
【０１６２】
図２５を参照すると、制御信号２５００を生成するための方法およびシステムの、ブロック図の別の態様を示してある。光管理機能２５０２を使用して、発光ユニット１００を、環境内の位置、光システムによって照射される表面、およびその他に、マッピングするマップファイルを生成する。アニメーション機能２５０８が、アニメーション効果のためのグラフィックファイルの列２５１０を生成する。変換モジュール２５１２が、発光ユニット１００用のマップファイル２５０４内の情報を、グラフィックファイル内のグラフィック情報と関係づける。例えば、グラフィックファイル内の色彩情報を使用して、発光ユニット１００用の色制御情報に変換して、類似の色を生成することができる。グラフィックファイル用のピクセル情報を、発光ユニット１００用のアドレス情報に変換することが可能であり、このアドレス情報が、問題のピクセルと対応することになる。実施態様によっては、変換モジュール２５１２は、発光システム用の構成ファイルの内容および問題のアニメーション機能に適当な変換アルゴリズムに基づいて、特定のグラフィックファイル情報を特定の発光制御信号に変換するためのルックアップテーブルを含む。変換された情報は、再生ツール２５１４に送ることが可能であり、この再生ツールが、アニメーションを再生し、環境内の発光ユニット１００に制御信号２５１８を供給することができる。
【手続補正１８】
【補正対象書類名】明細書
【補正対象項目名】０１６３
【補正方法】変更
【補正の内容】
【０１６３】
図２６を参照すると、構成ファイル２６００の一実施態様を示してあり、これは発光ユニット１００またはその他のシステムに対して記憶することのできる構成情報のいくつかの要素を示している。すなわち、構成ファイル２６００は、各発光ユニット１００に対する識別子２６０２とともに、環境１００に対する所望の座標系またはマッピングシステム（これは、（ｘ，ｙ，ｚ）座標、極座標、（ｘ，ｙ）座標、その他とすることができる）における、その発光システム１００の位置２６０８を記憶することができる。位置２６０８およびその他の情報は、時間依存である場合があり、そのために構成ファイル２６００には、時間の要素２６０４を含めることができる。構成ファイル２６００は、発光ユニット１００によって照射される位置２６１０の情報を記憶することもできる。この情報は、１組の座標で構成するか、またはこの情報は、環境内で識別される表面、ポリゴン、物体またはのその他の項目とすることができる。構成ファイル２６００は、また、発光ユニット１００の使用に対して利用可能な自由度、例えば色彩範囲２６１２における利用可能な色彩、強度範囲２６１４における利用可能な強度、またはその他についての情報を記憶することもできる。構成ファイル２６００には、また、本発明で開示する制御システム２６１８によって制御される、環境内のその他のシステムについての情報、環境内の表面１０７の特徴についての情報、その他も含めることができる。すなわち、構成ファイル２６００は、１組の発光ユニット１００を、それらが環境１００において生成することのできる、条件にマッピングすることができる。
【手続補正１９】
【補正対象書類名】明細書
【補正対象項目名】０２１６
【補正方法】変更
【補正の内容】
【０２１６】
図４２を参照すると、光源４１０２は、この場合、介入する拡散物質のない状態で直接観察される。図４２は、基板４２０２上に規則配列に装着されたＬＥＤ４１０２の直視画像である。拡散体は使用していない。この画像でわかるように、光源４１０２は明るい光の点として見える。それらは個別に制御するか、または時間経過とともに同じことを実行するように同期させることができる。図４２の上部には、外方向を向く、一行のＬＥＤを示してあり、観察への光路を中途妨害する物質はない。下部画像においては、基板は、それぞれがＲＧＢ  ＬＥＤ光源の８×８（６４）グリッド内にある４つの１スクエア（square：平方フィート）正方形基板を示す。
【手続補正２０】
【補正対象書類名】明細書
【補正対象項目名】０２４３
【補正方法】変更
【補正の内容】
【０２４３】
図６９ａを参照すると、発光システムマネジャー５０００を設けて、複数の発光ユニット１００または発光システムの制御を管理することが望ましい。図６９ｂを参照すると、ハードウエアおよびソフトウエア構成要素の組合せで構成することのできる、発光システムマネジャー５０００を設けてある。それには、複数の発光システムの場所をマッピングするための、マッピング機能５００２が含まれる。このマッピング機能は、本明細書に記述するか、または当業者に知られている、発光体の場所を発見してマッピングするための様々な技法を使用することができる。場所は、その世界における物理的な場所とするか、または、発光ユニット１００のストリングまたは配列における発光ユニット１００の相対位置などの、相対的場所とすることができる。また、発光システム上で表示することのできる、１つまたは２つ以上の発光ショーを構成するための発光システムコンポーザ５４００も設けてある。ショーのオーサリングは、幾何学形状およびオブジェクト指向プログラミング手法に基づいてもよく、例えば、本明細書および参照により本明細書に組み入れてある文献に開示されるか、または当該技術において知られている様々な方法およびシステムによる、マッピング機能を使用して発見してマッピングすることのできる発光システムの幾何学形状などである。また、発光ショーのためのコードを実行して、発光制御信号を、例えば１つまたは２つ以上の発光システム、あるいは発光システムを支配する電力／データシステムなどの関係システムに配信することによって、発光ショーを再生するための発光システムエンジン５００８が設けられている。発光システムマネジャー５０００、マッピング機能５００２、発光システムコンポーザ５００４および発光システムエンジン５００８のさらなる詳細を本明細書に記載してある。
【手続補正２１】
【補正対象書類名】明細書
【補正対象項目名】０２４６
【補正方法】変更
【補正の内容】
【０２４６】
なお図７０を参照すると、複雑なショーのための制御システムを、１つまたは２つ以上の発光システムに提供するアーキテクチャにおいて、オーサリングコンピュータ５０１０を使用して構成されるショーは、Ｅｔｈｅｒｎｅｔ（登録商標）接続を経由して、１つまたは２つ以上のＥｔｈｅｒｎｅｔ（登録商標）スイッチによって発光システムエンジン５００８に配信される。発光システムエンジン５００８は、発光システムコンポーザ５００４によって構成されるショーをダウンロードして、それらを再生して、発光システムのための発光制御信号を生成する。いくつかの態様においては、発光制御信号は、Ｅｔｈｅｒｎｅｔ（登録商標）スイッチによって１つまたは２つ以上の電力／データ源に中継されるとともに、例えばＬＥＤのスイッチを入れたり、切ったりすることによって、その命令を実行するように装備された発光システムに中継されて、その色または色温度を制御したり、その色調、強度、または彩度を変化させたりする。態様によっては、電力／データ源は、発光システムコンポーザ５００４から直接的に受信するようにプログラムすることができる。態様によっては、発光システムエンジン５００８のフォーマットから、エンターテインメントライティングに使用されるＤＭＸまたはＤＡＬＩ信号などの従来型フォーマットに信号を変換するように、ブリッジ１７５２をプログラムすることができる。
【手続補正２２】
【補正対象書類名】明細書
【補正対象項目名】０２４８
【補正方法】変更
【補正の内容】
【０２４８】
図７１を参照すると、いくつかの態様においては、発光システムコンポーザ５００４を使用して構成される発光ショーは、ＸＭＬ文書として実現される簡単なスクリプトに編集される。このＸＭＬ文書は、Ｅｔｈｅｒｎｅｔ（登録商標）接続上で迅速に送信することができる。態様によっては、ＸＭＬ文書は、発光システムエンジン５００８のＸＭＬパーサー１８０２によって読み取られる。発光ショーを送信するのにＸＭＬ文書を使用すると、発行ショーをその他の種類のプログラミング命令と組み合わせることが可能となる。例えば、ＸＭＬ文書タイプ定義には、発光システムエンジン５００８によって実行される発光ショーのためのＸＭＬ命令だけでなく、別のコンピュータシステム１８５０、例えば音声システム、エンターテインメントシステム、マルチメディアシステム、ビデオシステム、音響システム、音声効果システム、煙効果システム、蒸気効果システム、ドライアイス効果、別の発光システム、セキュリティシステム、情報システム、センサフィードバックシステム、センサシステム、ブラウザ、ネットワーク、サーバ、無線コンピュータシステム、建物情報技術システム、または通信システムのための命令を含むＸＭＬを含めることができる。
【手続補正２３】
【補正対象書類名】明細書
【補正対象項目名】０２４９
【補正方法】変更
【補正の内容】
【０２４９】
すなわち、本明細書で提供する方法およびシステムは、制御信号を複数の発光システムに中継する発光システムエンジンを提供することを含み、この場合に発光システムエンジンはショーを再生する。発光システムエンジン５００８には、プロセッサ、データ機能、オペレーティングシステムおよび通信機能を含めることができる。発光システムエンジン５００８は、ＤＡＬＩまたはＤＭＸ発光制御機能と通信するように構成してもよい。いくつかの態様においては、発光システムエンジンは、シリアル通信プロトコルで動作する、発光制御機能と通信する。態様によっては、発光制御機能は、発光ユニット１００のための電力／データ源である。
【手続補正２４】
【補正対象書類名】明細書
【補正対象項目名】０３０１
【補正方法】変更
【補正の内容】
【０３０１】
【図６】本発明のタイル発光体態様のための壁（６Ａ、６Ｂ）および天井（６Ｃ、６Ｄ）装着方法およびシステムを示す図である。
【図７】タイル発光システムのための壁装着レイルシステム（７Ａ、７Ｂ）を示す図である。
【図８】タイル発光システムのユニット間の電気機械式接続を示す概略図である。
【図９】２つのタイル発光ユニット間の磁気接続を示す図である。
【図１０】タイル発光ユニットを接続するブラケットシステム（１０Ａ、１０Ｂ）を示す図である。
【手続補正２５】
【補正対象書類名】明細書
【補正対象項目名】０３０３
【補正方法】変更
【補正の内容】
【０３０３】
【図１６】タイル発光ユニット用の拡散パネル外部の実施態様を示す図である。
【図１７】発光ユニットの拡散パネル外部の追加の実施態様を示す図である。
【図１８】平坦表面と同一平面に配置するように設計されたタイル発光ユニット（１８Ａ、１８Ｂ）を示す図である。
【図１９】平坦表面上に同一平面に配置するように設計されたタイル発光ユニットための追加の形態要因を示す図である。
【図２０】タイル発光ユニットの内部を形成することのできる、アドレス指定可能発光ユニットの配列またはグリッドを示す図である。
【手続補正２６】
【補正対象書類名】明細書
【補正対象項目名】０３０８
【補正方法】変更
【補正の内容】
【０３０８】
【図４１】拡散体に対して異なる近さで配置された１組のＬＥＤを示す図である。
【図４２】複数の発光要素がその上に配置されているＬＥＤ基板（４２Ａ、４２Ｂ）の直視図である。
【図４３】基板の表面に対してある角度で、拡散体がその近傍に配置されているＬＥＤ基板（４３Ａ、４３Ｂ）を示す図である。
【図４４】拡散体として使用することのできる、異なる形状および種類の材料の態様（４４Ａ〜Ｄ）を示す図である。
【図４５】本明細書に記述する方法およびシステムの発光ノードに対する締結機能の例を示す図である。
【手続補正２７】
【補正対象書類名】明細書
【補正対象項目名】０３０９
【補正方法】変更
【補正の内容】
【０３０９】
【図４６】発光ノードに対する押し込み締結機構（４６Ａ〜Ｄ）を示す図である。
【図４７】拡散体の三次元、複雑表面を示す図である。
【図４８】グラフィック要素をその上に含む、半球型拡散体を示す図である。
【図４９】透明材料および半透明材料を含む、発光ノードの配列の上への材料の重ね合わせを示す図である。
【図５０】発光ノードの配列上へのロゴまたはその他のグラフィック要素の重ね合せを示す図である。
【手続補正２８】
【補正対象書類名】明細書
【補正対象項目名】０３１３
【補正方法】変更
【補正の内容】
【０３１３】
【図６６】図６４および図６５のプリント回路基板の背面図である。
【図６７】発光ユニットのための追加の構成（６７Ａ〜Ｃ）を示す図である。
【図６８】複数のノードから生成される配列を示す図である。
【図６９ａ】発光システム管理機能を示す図である。
【図６９ｂ】発光システム管理機能を示す図である。
【手続補正２９】
【補正対象書類名】図面
【補正対象項目名】図１
【補正方法】変更
【補正の内容】
【図１】
2007525690.tif 000001
【手続補正３０】
【補正対象書類名】図面
【補正対象項目名】図２
【補正方法】変更
【補正の内容】
【図２】
2007525690.tif 000002
【手続補正３１】
【補正対象書類名】図面
【補正対象項目名】図３
【補正方法】変更
【補正の内容】
【図３】
2007525690.tif 000003
【手続補正３２】
【補正対象書類名】図面
【補正対象項目名】図４
【補正方法】変更
【補正の内容】
【図４】
2007525690.tif 000004
【手続補正３３】
【補正対象書類名】図面
【補正対象項目名】図５
【補正方法】変更
【補正の内容】
【図５】
2007525690.tif 000005
【手続補正３４】
【補正対象書類名】図面
【補正対象項目名】図６
【補正方法】変更
【補正の内容】
【図６】
2007525690.tif 000006
【手続補正３５】
【補正対象書類名】図面
【補正対象項目名】図７
【補正方法】変更
【補正の内容】
【図７】
2007525690.tif 000007
【手続補正３６】
【補正対象書類名】図面
【補正対象項目名】図９
【補正方法】変更
【補正の内容】
【図９】
2007525690.tif 000008
【手続補正３７】
【補正対象書類名】図面
【補正対象項目名】図１０
【補正方法】変更
【補正の内容】
【図１０】
2007525690.tif 000009
【手続補正３８】
【補正対象書類名】図面
【補正対象項目名】図１１
【補正方法】変更
【補正の内容】
【図１１】
2007525690.tif 000010
【手続補正３９】
【補正対象書類名】図面
【補正対象項目名】図１２
【補正方法】変更
【補正の内容】
【図１２】
2007525690.tif 000011
【手続補正４０】
【補正対象書類名】図面
【補正対象項目名】図１３
【補正方法】変更
【補正の内容】
【図１３】
2007525690.tif 000012
【手続補正４１】
【補正対象書類名】図面
【補正対象項目名】図１５
【補正方法】変更
【補正の内容】
【図１５】
2007525690.tif 000013
【手続補正４２】
【補正対象書類名】図面
【補正対象項目名】図１６
【補正方法】変更
【補正の内容】
【図１６】
2007525690.tif 000014
【手続補正４３】
【補正対象書類名】図面
【補正対象項目名】図１７
【補正方法】変更
【補正の内容】
【図１７】
2007525690.tif 000015
【手続補正４４】
【補正対象書類名】図面
【補正対象項目名】図１８
【補正方法】変更
【補正の内容】
【図１８】
2007525690.tif 000016
【手続補正４５】
【補正対象書類名】図面
【補正対象項目名】図１９
【補正方法】変更
【補正の内容】
【図１９】
2007525690.tif 000017
【手続補正４６】
【補正対象書類名】図面
【補正対象項目名】図２２
【補正方法】変更
【補正の内容】
【図２２】
2007525690.tif 000018
【手続補正４７】
【補正対象書類名】図面
【補正対象項目名】図２７
【補正方法】変更
【補正の内容】
【図２７】
2007525690.tif 000019
【手続補正４８】
【補正対象書類名】図面
【補正対象項目名】図２８
【補正方法】変更
【補正の内容】
【図２８】
2007525690.tif 000020
【手続補正４９】
【補正対象書類名】図面
【補正対象項目名】図３１
【補正方法】変更
【補正の内容】
【図３１】
2007525690.tif 000021
【手続補正５０】
【補正対象書類名】図面
【補正対象項目名】図３２
【補正方法】変更
【補正の内容】
【図３２】
2007525690.tif 000022
【手続補正５１】
【補正対象書類名】図面
【補正対象項目名】図３５
【補正方法】変更
【補正の内容】
【図３５】
2007525690.tif 000023
【手続補正５２】
【補正対象書類名】図面
【補正対象項目名】図３６
【補正方法】変更
【補正の内容】
【図３６】
2007525690.tif 000024
【手続補正５３】
【補正対象書類名】図面
【補正対象項目名】図３７
【補正方法】変更
【補正の内容】
【図３７】
2007525690.tif 000025
【手続補正５４】
【補正対象書類名】図面
【補正対象項目名】図３８
【補正方法】変更
【補正の内容】
【図３８】
2007525690.tif 000026
【手続補正５５】
【補正対象書類名】図面
【補正対象項目名】図４２
【補正方法】変更
【補正の内容】
【図４２】
2007525690.tif 000027
【手続補正５６】
【補正対象書類名】図面
【補正対象項目名】図４３
【補正方法】変更
【補正の内容】
【図４３】
2007525690.tif 000028
【手続補正５７】
【補正対象書類名】図面
【補正対象項目名】図４４
【補正方法】変更
【補正の内容】
【図４４】
2007525690.tif 000029
【手続補正５８】
【補正対象書類名】図面
【補正対象項目名】図４５
【補正方法】変更
【補正の内容】
【図４５】
2007525690.tif 000030
【手続補正５９】
【補正対象書類名】図面
【補正対象項目名】図４６
【補正方法】変更
【補正の内容】
【図４６】
2007525690.tif 000031
【手続補正６０】
【補正対象書類名】図面
【補正対象項目名】図５０
【補正方法】変更
【補正の内容】
【図５０】
2007525690.tif 000032
【手続補正６１】
【補正対象書類名】図面
【補正対象項目名】図５２
【補正方法】変更
【補正の内容】
【図５２】
2007525690.tif 000033
【手続補正６２】
【補正対象書類名】図面
【補正対象項目名】図５３
【補正方法】変更
【補正の内容】
【図５３】
2007525690.tif 000034
【手続補正６３】
【補正対象書類名】図面
【補正対象項目名】図５５
【補正方法】変更
【補正の内容】
【図５５】
2007525690.tif 000035
【手続補正６４】
【補正対象書類名】図面
【補正対象項目名】図５６
【補正方法】変更
【補正の内容】
【図５６】
2007525690.tif 000036
【手続補正６５】
【補正対象書類名】図面
【補正対象項目名】図５７
【補正方法】変更
【補正の内容】
【図５７】
2007525690.tif 000037
【手続補正６６】
【補正対象書類名】図面
【補正対象項目名】図５８
【補正方法】変更
【補正の内容】
【図５８】
2007525690.tif 000038
【手続補正６７】
【補正対象書類名】図面
【補正対象項目名】図５９
【補正方法】変更
【補正の内容】
【図５９】
2007525690.tif 000039
【手続補正６８】
【補正対象書類名】図面
【補正対象項目名】図６０
【補正方法】変更
【補正の内容】
【図６０】
2007525690.tif 000040
【手続補正６９】
【補正対象書類名】図面
【補正対象項目名】図６１
【補正方法】変更
【補正の内容】
【図６１】
2007525690.tif 000041
【手続補正７０】
【補正対象書類名】図面
【補正対象項目名】図６３
【補正方法】変更
【補正の内容】
【図６３】
2007525690.tif 000042
【手続補正７１】
【補正対象書類名】図面
【補正対象項目名】図６７
【補正方法】変更
【補正の内容】
【図６７】
2007525690.tif 000043
【手続補正７２】
【補正対象書類名】図面
【補正対象項目名】図７０
【補正方法】変更
【補正の内容】
【図７０】
2007525690.tif 000044